(57)【要約】【課題】簡素な構成で、複数種類のカートリッジ付き記録メディアを、正確に位置決めすることができる記録メディア位置決め機構を提供する。【解決手段】複数種類の記録メディアＡ（Ｂ）を載置する載置部位を備えたトレイ６と、載置された記録メディアのカートリッジの所定の部位に当接する当接部材１５ａと、記録メディアのカートリッジに設けられている位置決め用の孔１２ａ（１３ａ）に挿入される位置決め用部材１４ａと、記録メディアのカートリッジの所定の部位に当接したときの当接部材１５ａの位置に応じて位置決め用部材１４ａの位置を位置決めする位置決め用部材位置決め機構とを有する。【選択図】図１１
2007250042.tif 000002
【特許請求の範囲】
【請求項１】
ディスクとこのディスクを内包するカートリッジとを備えた複数種類の記録メディアを載置する載置部位を備え、シャーシから突き出る位置と前記シャーシ内に存在する位置との間を移動するトレイと；
前記載置された記録メディアのカートリッジの所定の部位に当接する当接部材と；
前記載置された記録メディアのカートリッジに設けられている位置決め用の孔に挿入される位置決め用部材と；
前記載置された記録メディアのカートリッジの所定の部位に当接したときの前記当接部材の位置に応じて前記位置決め用部材の位置を位置決めする位置決め用部材位置決め機構と；
を有することを特徴とする記録メディア位置決め機構。
【請求項２】
請求項１に記載の記録メディア位置決め機構において、
前記トレイに設けられていると共に、前記トレイに載置された記録メディアが位置決めされるときに、前記トレイに載置された記録メディアのカートリッジの他の所定の部位が当接する基準部位と；
前記トレイに載置され前記位置決め用部材が前記位置決め用の孔に挿入された状態の記録メディアの前記他の所定の部位が前記基準部位に当接するように、前記記録メディアを押し付ける押し付け機構と；
を有することを特徴とする記録メディア位置決め機構。
【請求項３】
請求項２に記載の記録メディア位置決め機構において、
前記押し付け機構は、前記シャーシ内に位置しているトレイに載置されている記録メディアのシャッターを開くときに、前記記録メディアのカートリッジにかかる力により、前記記録メディアを押し付けるように構成されていることを特徴とする記録メディア位置決め機構。
【請求項４】
請求項１〜請求項３のいずれか１項に記載の記録メディア位置決め機構において、
前記位置決め用部材位置決め機構は、
前記当接部材を一体的に備えていると共に、前記トレイに対して回動自在に設けられている第１の回動部材と；
前記位置決め用部材を一体的に備え、前記トレイに対して回動自在に設けられていると共に、前記第１の回動部材に係合し前記第１の回動部材の回動に応じて回動するようになっている第２の回動部材と；
前記各回動部材の回動角度がデフォルトの角度になるように、前記第１の回動部材、前記第２の回動部材のうちの少なくとも一方を付勢する付勢手段と；
を備えて構成されており、前記当接部材が前記トレイに載置された記録メディアのカートリッジに当接して前記第１の回動部材が回動位置決めされることにより、前記第２の回動部材が回動位置決めされ、前記位置決め用部材を位置決めする構成であることを特徴とする記録メディア位置決め機構。
【請求項５】
請求項１〜請求項４のいずれか１項に記載の記録メディア位置決め機構において、
前記位置決め用部材は、前記トレイが前記シャーシから突き出た位置にあるときには、前記載置部位よりも引っ込んでおり、前記トレイが前記シャーシ内に存在し前記載置部位に載置されている記録メディアの位置決めをするときには、前記載置されている記録メディアのディスクをクランプするためにスピンドルを移動するトラバース機構により、前記載置部位から突出し、前記載置部位に載置されている記録メディアのカートリッジの前記位置決め用孔に挿入されるように構成されていることを特徴とする記録メディア位置決め機構。
【請求項６】
請求項１〜請求項５のいずれか１項に記載の記録メディア位置決め機構を備えていることを特徴とする記録メディアのドライブ装置。
【発明の詳細な説明】
【技術分野】
【０００１】
本発明は、記録メディア位置決め機構および記録メディアのドライブ装置に係り、特に、光ディスク等のディスクの再生もしくは記録を行うプレーヤまたはレコーダ等に使用されるものであって、複数種類のディスクを内包し外形と位置決め孔の位置が異なる複数種類のカートリッジをトレイに載置し位置決めするものに関する。
【背景技術】
【０００２】
従来、カートリッジを備えた１種類の記録メディアの位置決めを、トレイ側面とカートリッジの左右のどちらか一方の位置決め孔とを用いて行っている記録メディア位置決め機構が知られている（たとえば、特許文献１参照）。
【０００３】
また、カートリッジを備えた２種類の記録メディアの位置決めを、カートリッジの左右に設けられた位置決め手段を用いて行っている記録メディア位置決め機構が知られている（たとえば、特許文献２参照）。
【特許文献１】特開２００３-２１７２１４号公報
【特許文献２】特開２００３-１６２８６０号公報
【発明の開示】
【発明が解決しようとする課題】
【０００４】
しかし、前記１つ目の従来例では、複数種類の単体のディスクと１種類のカートリッジ付き記録メディアの位置決めを行うことはできるが、外形と位置決め孔の位置が異なる２種類以上のカートリッジ（記録メディア）に対して位置決めを行うことができない。
【０００５】
また、前記２つ目の従来例では、２種類のカートリッジ付き記録メディアの位置決めを行うことはできるが、カートリッジを位置決めするために左右の位置決め手段を使用しているので、駆動機構として別にアクチェータを設ける必要があり、また、カートリッジの種類（記録メディアの種類）を判別する判別手段については検出スイッチを用いることが想定されており、電気的な処理が必要であり、装置の構成が煩雑になっている。
【０００６】
本発明は、前記問題点に鑑みてなされたものであり、簡素な構成で、複数種類のカートリッジ付き記録メディアを、正確に位置決めすることができる記録メディア位置決め機構および記録メディアのドライブ装置を提供することを目的とする。
【課題を解決するための手段】
【０００７】
請求項１に記載の発明は、ディスクとこのディスクを内包するカートリッジとを備えた複数種類の記録メディアを載置する載置部位を備え、シャーシから突き出る位置と前記シャーシ内に存在する位置との間を移動するトレイと、前記載置された記録メディアのカートリッジの所定の部位に当接する当接部材と、前記載置された記録メディアのカートリッジに設けられている位置決め用の孔に挿入される位置決め用部材と、前記載置された記録メディアのカートリッジの所定の部位に当接したときの前記当接部材の位置に応じて前記位置決め用部材の位置を位置決めする位置決め用部材位置決め機構とを有する記録メディア位置決め機構である。
【０００８】
請求項２に記載の発明は、請求項１に記載の記録メディア位置決め機構において、前記トレイに設けられていると共に、前記トレイに載置された記録メディアが位置決めされるときに、前記トレイに載置された記録メディアのカートリッジの他の所定の部位が当接する基準部位と、前記トレイに載置され前記位置決め用部材が前記位置決め用の孔に挿入された状態の記録メディアの前記他の所定の部位が前記基準部位に当接するように、前記記録メディアを押し付ける押し付け機構とを有する記録メディア位置決め機構である。
【０００９】
請求項３に記載の発明は、請求項２に記載の記録メディア位置決め機構において、前記押し付け機構は、前記シャーシ内に位置しているトレイに載置されている記録メディアのシャッターを開くときに、前記記録メディアのカートリッジにかかる力により、前記記録メディアを押し付けるように構成されている記録メディア位置決め機構である。
【００１０】
請求項４に記載の発明は、請求項１〜請求項３のいずれか１項に記載の記録メディア位置決め機構において、前記位置決め用部材位置決め機構は、前記当接部材を一体的に備えていると共に、前記トレイに対して回動自在に設けられている第１の回動部材と、前記位置決め用部材を一体的に備え、前記トレイに対して回動自在に設けられていると共に、前記第１の回動部材に係合し前記第１の回動部材の回動に応じて回動するようになっている第２の回動部材と、前記各回動部材の回動角度がデフォルトの角度になるように、前記第１の回動部材、前記第２の回動部材のうちの少なくとも一方を付勢する付勢手段とを備えて構成されており、前記当接部材が前記トレイに載置された記録メディアのカートリッジに当接して前記第１の回動部材が回動位置決めされることにより、前記第２の回動部材が回動位置決めされ、前記位置決め用部材を位置決めする構成である記録メディア位置決め機構である。
【００１１】
請求項５に記載の発明は、請求項１〜請求項４のいずれか１項に記載の記録メディア位置決め機構において、前記位置決め用部材は、前記トレイが前記シャーシから突き出た位置にあるときには、前記載置部位よりも引っ込んでおり、前記トレイが前記シャーシ内に存在し前記載置部位に載置されている記録メディアの位置決めをするときには、前記載置されている記録メディアのディスクをクランプするためにスピンドルを移動するトラバース機構により、前記載置部位から突出し、前記載置部位に載置されている記録メディアのカートリッジの前記位置決め用孔に挿入されるように構成されている記録メディア位置決め機構である。
【００１２】
請求項６に記載の発明は、請求項１〜請求項５のいずれか１項に記載の記録メディア位置決め機構を備えている記録メディアのドライブ装置である。
【発明の効果】
【００１３】
本発明によれば、簡素な構成で、複数種類のカートリッジ付き記録メディアを、正確に位置決めすることができるという効果を奏する。
【発明を実施するための最良の形態】
【００１４】
図１、図２は、本発明の実施形態に係る記録メディアのドライブ装置１の概略構成を示す斜視図である。
【００１５】
なお、図１、図２は、記録メディアのドライブ装置１を斜め上方から眺めた図であり、また、図１は、トレイ６が記録メディアのドライブ装置１（シャーシ２）から搬出された状態（突き出た位置にある状態）を示す図であり、図２は、トレイ６が記録メディアのドライブ装置１（シャーシ２）に搬入された状態（シャーシ２内に存在している位置にある状態）を示す図である。さらに図１では、機構を説明するため、トレイ６がシャーシ２から突き出た位置よりもさらに突き出た位置にある状態を示している。
【００１６】
記録メディアのドライブ装置（たとえばディスク記録再生装置）１は、記録メディア位置決め機構を備えている。記録メディアは、情報が記録されているか、情報を記録自在であるか、または、情報を書き換え自在である薄い円板状のディスクとこのディスクを内包する扁平なカートリッジとを備えて構成されている。本実施形態では、記録メディアとして、カートリッジを備えたＤＶＤ−ＲＡＭ（以下；「記録メディアＡ」や「カートリッジＡ」という場合がある。）、カートリッジを備えたブルーレイ（Ｂｌｕ−ｒａｙ）ディスク（以下；「記録メディアＢ」や「カートリッジＢ」という場合がある。）を例に掲げて説明する。もちろん、これらに限定されるものではない。
【００１７】
なお、カートリッジを備えたＤＶＤ−ＲＡＭの概略構成を図１３（ａ）に示し、カートリッジを備えたブルーレイディスクの概略構成を図１３（ｂ）に示す。
【００１８】
前記記録メディア位置決め機構は、トレイ６を備えている。トレイ６は、記録メディアＡや記録メディアＢのような複数種類の記録メディアを載置する載置部位を１つ備えている。すなわち、前記載置部位にカートリッジを備えたＤＶＤ−ＲＡＭを１つ載置すること、または、前記載置部位にＤＶＤ−ＲＡＭに代えてカートリッジ（ＤＶＤ−ＲＡＭのカートリッジとは異なる形状のカートリッジ）を備えたブルーレイディスクを１つ載置することができるようになっている。なお、前記トレイ６に、カートリッジを備えた他の種類の記録メディアやカートリッジを有しない単体のディスクをさらに載置可能な構成にしてもよい。
【００１９】
また、トレイ６は、ローディング機構によって、シャーシ２から突き出た位置とシャーシ２内に存在する位置との間を移動するようになっている。記録メディアＡ（Ｂ）は、この記録メディアＡ（Ｂ）のディスクの記録面の展伸方向が水平方向になるようにして、また、扁平なカートリッジの厚さ方向が上下方向になるようにしてトレイ６に載置されるようになっている。
【００２０】
トレイ６がシャーシ２から突き出た位置にあるときには、オペレータが、前記載置部位に記録メディアＡ（Ｂ）を載置し、また、前記載置部位に載置されている記録メディアを取り出すことができるようになっている。なお、前記載置部位に載置される際、記録メディアＡ（Ｂ）は、仮の位置決めがされるようになっている。したがって、前記載置部位に載置されただけの状態では、記録メディアＡ（Ｂ）は、カートリッジの厚さ方向に直交する方向（水平方向）で、載置されたまま僅かに移動することができるようになっている。
【００２１】
ここで、前記ローディング機構について説明する。
【００２２】
図３は、記録メディアのドライブ装置１の概略構成を示す斜視図であり、トレイ６をシャーシ２から搬出した状態を斜め下方から眺めた図である。図４は、前記ローディング機構の要部を斜め上方から眺めた斜視図である。
【００２３】
トレイ６は、シャーシ２の左右に設けられたガイド２ａ１、２ａ２により前後方向にスライド可能に保持されている。図３に示すように、トレイ６の裏面にはラック６ａが一体的に設けてあり（切ってあり）、図４に示す駆動ギヤ７と噛み合っている。駆動ギヤ７はモータ８により減速機構を介して回転駆動するようになっている。そして、トレイ６は駆動ギヤ７により載置位置（シャーシ２から突き出た位置）と装着位置（シャーシ２内に存在する位置）との間を前後方向で移動するようになっている。
【００２４】
図４に示すスライドカム９は、シャーシ２の横方向（幅方向）にスライド可能に設けられており、スライドカム９のピン９ａは、図３に示すトレイ６に設けられているカム６ｂと係合している。スライドカム９は、載置位置から装着位置直前までトレイ６のカム６ｂの直線部６ｂ１により案内されて静止した状態にある。装着位置直前でスライドカム９のピン９ａがトレイ６のカム６ｂの傾斜部６ｂ２に当接し、スライドカム９は図４の矢印Ｃ方向へ駆動される。スライドカム９が矢印Ｃ方向へ駆動されると、スライドカム９のラック９ｄが駆動ギヤ７と噛み合うようになり、トレイ６はスライドカム９のピン９ａによって駆動され、装着位置で位置決めされる。これに連動してトレイ６のラック６ａは駆動ギヤ７から離脱し駆動の切り替えが行われる。
【００２５】
次に、記録メディアのドライブ装置１のトラバース機構について説明する。
【００２６】
図５は、トラバース機構の概略構成を示す図であり、トラバース機構を斜め上方から眺めた図である。
【００２７】
トラバース機構はトラバースベース３を備えている。トラバースベース３は、図５（ａ）、（ｂ）に示す２本のピン３ａ１、３ａ２によりシャーシ２に回転自在に保持され、他方の２本のピン３ｂ１、３ｂ２は、スライドカム９の２本のカム９ｂ１、９ｂ２と係合している。トレイ６が装着位置（図５（ａ））で位置決めされ、スライドカム９がさらに矢印Ｃ方向へ駆動されるとトラバースベース３はスライドカム９の２本のカム９ｂ１、９ｂ２により矢印Ｄの上方向へ駆動され（図５（ｂ））、トラバースベース３に固定されたスピンドル５により、記録メディアのディスクがクランプされるようになっている。
【００２８】
次に、記録メディア位置決め機構（カートリッジ位置決め機構）について説明する。
【００２９】
図６は、記録メディアＡ（ＤＶＤ−ＲＡＭ）をトレイ６に載置した状態を示す平面図であり、図７は、記録メディアＢ（ブルーレイディスク）をトレイ６に載置した状態を示す平面図である。
【００３０】
前記記録メディア位置決め機構は、トレイ６に載置された記録メディアＡ（Ｂ）のカートリッジの所定の部位に当接する当接部材１５ａと、前記載置された記録メディアのカートリッジに設けられている円柱状の位置決め用の孔１２ａ（１３ａ）（２つ設けられている位置決め用孔１２ａ（１３ａ）、１２ｂ（１３ｂ）のうちの一方の孔）に挿入される位置決め用部材１４ａと、前記載置された記録メディアＡ（Ｂ）のカートリッジの所定の部位に当接したときの当接部材１５ａの位置に応じて、位置決め用部材１４ａの位置を前記記録メディアの位置決め用の孔１２ａ（１３ａ）に挿入可能な位置に位置決めする位置決め機構とを備えて構成されている。
【００３１】
当接部材１５ａは、たとえば、円柱状に形成されトレイ６の端部の近傍に設けられトレイ６に対して小さいストロークで水平方向に移動自在になっている。そして、記録メディアＡ（Ｂ）のカートリッジの側部に設けられた小さな矩形状の凹部５１に当接することによって位置が決まるようになっている。なお、トレイ６に載置可能な記録メディアの種類が変わっても、凹部５１の位置は僅かに変わるだけである。たとえば、トレイ６の前記載置部位に記録メディアＡを載置した際におけるカートリッジの凹部５１の位置と、トレイ６の前記載置部位に記録メディアＢを載置したときにおけるカートリッジの凹部５１の位置とは、僅かにずれているものである。したがって、小さなストロークしか移動できなくても、当接部材１５ａは、各記録メディアの凹部５１に当接可能になっている。
【００３２】
位置決め用部材１４ａは、たとえば、円柱状に形成され、外径が位置決め用の孔１２ａ（１３ａ）の内径よりもごく僅かに小さくなっており、トレイ６の端部の近傍であって当接部材１５ａの近傍に設けられトレイ６に対して小さなストロークで水平方向に移動自在になっている。なお、前記凹部５１の場合と同様に、トレイ６に載置可能な記録メディアの種類が変わっても、位置決め用の孔１２ａ（１３ａ）の位置は僅かに変わるだけである。
【００３３】
トレイ６の幅方向の一方の側には、複数の基準部位（基準面）６ｄ、６ｅが、トレイ６の幅方向の一端部側でトレイ６の内側方向に僅かに突出して設けられている。これらの基準部位６ｄ、６ｅには、トレイ６に載置された記録メディアＡ（Ｂ）が位置決めされるときに、トレイ６に載置された記録メディアＡ（Ｂ）のカートリッジの所定の部位（たとえば、幅方向の一方の側の部位）が当接するようになっている。
【００３４】
なお、これらの基準部位６ｄ、６ｅは、記録メディアの種類により異なったところに設けられている。そして、ある１種類の記録メディアのカートリッジが当接する基準部位（１つの基準面）以外の基準部位（他の１つの基準面）には、前記ある１種類の記録メディアのカートリッジは当接（干渉）しないようになっている。
【００３５】
すなわち、たとえば、トレイ６にカートリッジを備えたＤＶＤ−ＲＡＭ、カートリッジを備えたブルーレイディスクのいずれかを載置可能になっているので、トレイ６には、ＤＶＤ−ＲＡＭのカートリッジが当接するＤＶＤ−ＲＡＭ用の１つの基準部位６ｄとブルーレイディスクのカートリッジが当接するブルーレイディスク用の１つの基準部位６ｅとが設けられている。これらの基準部位６ｄ、６ｅは、互いが離れて設けられている。そして、カートリッジを備えたＤＶＤ−ＲＡＭが載置された場合、このＤＶＤ−ＲＡＭのカートリッジは、ＤＶＤ−ＲＡＭ用の基準部位６ｄに当接するがブルーレイディスク用の基準部位６ｅには当接しない（基準部位６ｅには干渉しない）ようになっている。一方、カートリッジを備えたブルーレイディスクが載置された場合、このブルーレイディスクのカートリッジは、ブルーレイディスク用の基準部位６ｅに当接するがＤＶＤ−ＲＡＭ用の基準部位６ｄには当接しないようになっている。
【００３６】
トレイ６には、トレイ６に載置され位置決め用部材１４ａが挿入された状態の記録メディアＡ（Ｂ）の幅方向の一方の側の部位が基準部位６ｄ（６ｅ）に当接するように、前記記録メディアを押し付ける押し付け機構が設けられている。
【００３７】
そして、位置決め用の孔１２ａ（１３ａ）に位置決め用部材１４ａが挿入されている状態で、前記押し付け機構を用いて載置されている記録メディアＡ（Ｂ）のカートリッジを押し付けることで、載置されている記録メディアＡ（Ｂ）の正確な位置決め（水平方向での位置決め）が行われるようになっている。すなわち、位置決め用部材１４ａと基準部位６ｄ（６ｅ）等との協働により、載置されている記録メディアＡ（Ｂ）の正確な前後方向および幅方向（図１参照）での位置決めが行われるようになっている。
【００３８】
前記押し付け機構は、シャーシ２内に位置しているトレイ６に載置されている記録メディアＡ（Ｂ）のシャッター１１（１９）を開くときに、記録メディアＡ（Ｂ）のカートリッジにかかる力により、記録メディアＡ（Ｂ）を押し付けるように構成されている。すなわち、前記押し付け機構は、シャーシ２内に位置しているトレイ６に載置されている記録メディアＡ（Ｂ）のシャッター１１（１９）を開閉する開閉機構を利用して構成されているものである。
【００３９】
なお、記録メディアＡ（Ｂ）を載置しているトレイ６がシャーシ２内に存在している状態で、載置されている記録メディアＡ（Ｂ）の位置決めがなされ、記録メディアＡ（Ｂ）のシャッター１１（１９）が開かれ、記録メディアＡ（Ｂ）のディスクがスピンドル５等でクランプされ、記録メディアＡ（Ｂ）のディスクの情報を読み取り等することができるようになっている。
【００４０】
ここで、記録メディア位置決め機構についてさらに説明する。
【００４１】
図６、図７ではカートリッジ（記録メディア）Ａ、Ｂが搬入され位置決めされた状態である。カートリッジＡ、Ｂでは、丸孔の位置決め孔１２ａ、１３ａは両方とも左側にあり、両カートリッジＡ、Ｂの位置決めとしては、この左側の丸孔の位置決め孔１２ａ、１３ａを使用する。
【００４２】
カートリッジＡのシャッター１１を開くときの反力（カートリッジＡのシャッター１１の開閉機構１０の付勢力）、または、カートリッジＢのシャッター１９の開閉機構１６の付勢力も図の矢印Ｅ方向に加わる。
【００４３】
これにより、搬入完了状態での各カートリッジＡ（Ｂ）の位置決めは、カートリッジの位置決めピン１４ａを各カートリッジＡ（Ｂ）の位置決め用の丸孔１２ａ（１３ａ）に係合させるとともに、カートリッジＡ（Ｂ）のシャッター１１（１９）を開ける反力、すなわちカートリッジ開閉機構の付勢力で、各カートリッジＡ（Ｂ）をトレイ側面の基準面６ｄ（６ｅ）に付勢させることにより行う。
【００４４】
各カートリッジをトレイ側面に付勢させる付勢力について詳しく説明する。
【００４５】
カートリッジＡでは、シャッター１１はスライド式であり、カートリッジ内に設けられたバネ（図示せず）により常に図６の矢印Ｌ方向にシャッター１１が付勢されている。この付勢力に対して、シャッター開閉機構１０によりシャッター１１を開けると、カートリッジＡにはバネの反力が図６の矢印Ｅ方向に働き、カートリッジＡが基準部位６ｄに押し付けられるようになっている。
【００４６】
カートリッジＢでは、シャッター１９は回転式になっている。図８、図９にシャッターの開閉動作を示す。
【００４７】
シャッター１９はカートリッジＢに回動自在に取り付けられている。カートリッジＢの搬入時に、トレイ６と共にカートリッジＢが搬入方向（矢印Ｍ方向）に移動すると、図８（ｂ）に示すように、シャーシ２に設けられたシャッター開閉機構１６の樹脂バネ先端の凸部１６ａが、シャッター１９の凹部１９ａに係合し、シャッター１９が回転し始める。
【００４８】
さらにカートリッジＢが搬入方向に移動すると、図９（ａ）に示すように、シャッター開閉機構１６のラック１６ｂがシャッターのギヤ１９ｂと噛み合い、シャッター１９はシャッター開閉機構１６のラック１６ｂにより矢印Ｎ方向に回転駆動されるようになる。
【００４９】
カートリッジＢの搬入終了位置では、図９（ｂ）に示すように、シャッター開閉機構１６のラック１６ｂとシャッターのギヤ１９ｂとの噛み合いが外れ、シャッター開閉機構１６の樹脂バネ先端の凸部１６ｃがシャッターの凹部１９ｃに係合し、シャッター１９は開いた状態で保持される。シャッター開閉機構１６の凸部１６ｃは樹脂バネの先端に設けられており、凸部１６ｃによりカートリッジＢは図７（図９（ｂ））の矢印Ｅ方向に付勢され、カートリッジＢが基準部位６ｅに押し付けられるようになっている。
【００５０】
すなわち、シャッター開閉機構１０（１６）により記録メディアＡ（Ｂ）のシャッターを開くと、記録メディアＡ（Ｂ）に位置決め用の孔１２ａ（１３ａ）まわりの回転モーメントが発生し、記録メディアＡ（Ｂ）のカートリッジの側部の一部が基準部位６ｄ（６ｅ）に当接し、記録メディアＡ（Ｂ）の位置決めがなされるようになっている。
【００５１】
ここで、前記位置決め用部材位置決め機構等についてさらに詳しく説明する。
【００５２】
図１０は、位置決め用部材位置決め機構の概略構成を示す斜視図である。なお、図１０では、トレイ６の下斜め方向から位置決め用部材位置決め機構を眺めたものである。
【００５３】
図１１は、位置決め用部材位置決め機構の概略構成を示す平面図（上方から眺めた平面図）である。なお、図１１においては、トレイ６の表示を省略してある。
【００５４】
位置決め用部材位置決め機構は、当接部材１５ａを一体的に備えていると共にトレイ６に対して回動自在に設けられている第１の回動部材１５と、位置決め用部材１４ａを一体的に備えトレイ６に対して回動自在に設けられていると共に第１の回動部材１５に係合し第１の回動部材１５の回動に応じて回動するようになっている第２の回動部材１４と、各回動部材１４、１５の回動角度がデフォルトの角度になるように、第１の回動部材１５、第２の回動部材１４のうちの少なくとも一方を付勢する付勢手段１７とを備えて構成されている。
【００５５】
そして、当接部材１５ａがトレイ６に載置された記録メディアＡ（Ｂ）のカートリッジに当接して第１の回動部材１５が回動位置決めされることにより、第２の回動部材１４が回動位置決めされ、位置決め用部材１４ａを位置決めするようになっている。
【００５６】
なお、当接部材１５ａの先端部からこの近傍にかけては、斜面５３が設けられている（図１４参照）。この斜面５３は、当接部材１５ａの先端部に向かうにしたがって（第１の回動部材１５から離れるにしたがって；上方向に向かうにしたがって）、当接部材１５ａの断面（先端部と第１の回動部材１５に接合されている基端部とを互いに結ぶ方向に対して直角な平面による断面；水平方向の展伸している平面）の面積が小さくなるように設けられている。また、斜面５３は、トレイ６に載置される記録メディアのＡ（Ｂ）の側部に対向する側に形成されている。
【００５７】
そして、図１４（記録メディアＡ（Ｂ）をトレイ６に載置するときの当接部材１５ａの挙動を示す図）に示すように、トレイ６がシャーシ２から突き出ている位置で記録メディアＡ（Ｂ）を載置しようとすると、この載置される記録メディアＡ（Ｂ）のカートリッジの側部の所定の部位（凹部５１の稜線５１ａ）が斜面５３に当接し、この当接により、第１の回動部材１５が前記デフォルトな角度から所定の角度回動し始め、記録メディアＡ（Ｂ）の載置が完了すると、前記デフォルトな角度から所定の角度だけ第１の回動部材１５が回動して位置決めされ、この回動位置決めによって第２の回動部材１４も回動位置決めされ、位置決め用部材１４ａが位置決めされるようになっている。
【００５８】
すなわち、当接部材１５ａで各カートリッジＡ（Ｂ）の側面位置の違いを検出することにより、位置決め用部材１４ａの位置をカートリッジの種類に対応して移動位置決めすることができるようになっている。
【００５９】
なお、当接部材１５ａの先端部にテーパ部を形成することにより前記斜面を設けてもよいが、図１４に示すように、斜面５３を当接部材１５ａの一方の側に形成することで、斜面５３の高さＬ１に対する幅Ｌ３を大きくすることができ、記録メディアの種類の違いによるカートリッジの凹部５１の位置の変化に、より広い範囲で対応することができ、たとえば、記録メディアＡ、Ｂ以外の多種類の記録メディアに対応することが容易になる。
【００６０】
また、斜面５３は、鉛直方向に対して所定の角度で交差した平面状に形成されているが、傾斜度が適宜変化した面（平面や円錐の側面状の曲面以外の曲面）で、前記傾斜面を形成してもよい。さらに、位置決め用部材１４ａを、記録メディアＡ（Ｂ）のカートリッジに設けられている位置決め用孔１２ａ（１３ａ）に挿入しやすくするために、前記位置決め用部材１４ａの先端部には、テーパ部５５が設けられている（図１２（ａ）参照）。
【００６１】
ところで、当接部材１５ａは、トレイ６の載置部位よりも上方に突出したままであるが、位置決め用部材１４ａは、昇降手段を用いることにより、トレイ６がシャーシ２から突き出た位置にあるときには、トレイ６に載置される記録メディアと干渉しないように、トレイ６の載置部位よりも引っ込んでおり（前記載置部位に載置される記録メディアＡ（Ｂ）の下面よりも下方に位置しており）、トレイ６がシャーシ２内に存在し前記載置部位に載置されている記録メディアＡ（Ｂ）の位置決めをするときには、載置されている記録メディアＡ（Ｂ）のディスクをクランプするためにスピンドル５を移動するトラバース機構により、前記載置部位から突出して、すなわち、前記載置部位に載置される記録メディアＡ（Ｂ）の下面よりも上方に位置決め用部材１４ａの上側の部位が位置して、前記載置部位に載置されている記録メディアＡ（Ｂ）のカートリッジの位置決め用孔１２ａ（１３ａ）に挿入されるように構成されている。
【００６２】
図１２（トラバース機構による位置決め用部材１４ａの突出動作を説明する図）を用いて、昇降手段についてより詳しく説明する。
【００６３】
図４、図５で示したように、シャーシ２にはトラバースベース３を昇降させるスライドカム９が設けてある。前記昇降手段は、図１２に示すようにスライドカム９にカム部９ｃを設けたものであり、そして、第２の回動部材１４の下面にカム部９ｃを当接させて駆動することにより、第２の回動部材１４（位置決め用部材１４ａ）を昇降させるようになっている。なお、カム部９ｃと第２の回動部材１４とが当接していない場合には、図１０に示す付勢手段の例である圧縮コイルバネ１８の付勢力により、位置決め用部材１４ａは下方に位置している。
【００６４】
図１２（ａ）では、トレイ６がディスク記録再生装置１の内部に搬入され、トラバースベース３が、図５（ａ）で示すように下方に位置しており、第２の回動部材１４も下方に位置している。
【００６５】
図１２（ｂ）では、スライドカム９が図のＣ方向へ移動し、トラバースベース３が図５（ｂ）のようにカム９ｂ１、９ｂ２により上方へ駆動されており、第２の回動部材１４もカム部９ｃにより上方方向に駆動されており、位置決めピン１４ａがカートリッジの位置決め孔１２ａ（１３ａ）に挿入されている。これにより、各カートリッジＡ（Ｂ）が位置決めピン１４ａとトレイ側面の基準面６ｄ（６ｅ）とにより精度良く位置決めされる。
【００６６】
ここで、位置決め用部材位置決め機構等についてさらに詳しく説明する。
【００６７】
図１０、図１１に示すように、第１の回動部材１５は、記録メディアＡ（Ｂ）が載置される側とは反対側（トレイ６の下側）であってトレイ６の一端部（トレイ６の幅方向一端部であってトレイ６の長手方向の前端部）の近傍で、トレイ６から離れ、載置される記録メディアＡ（Ｂ）のディスクの面と直交する方向（上下方向）に延びた軸を回動中心とし、トレイ６に対して回動自在に設けられている。
【００６８】
また、第１の回動部材１５は、所定の厚さを備えた細長いアーム状（レバー状）に形成されており、厚さ方向が上下方向になるように設けられている。さらに、第１の回動部材１５の長手方向の中間の部位が回動中心になっている。より詳しくは、第１の回動部材１５は、トレイ６に一体的に設けられていると共にトレイ６の下側から下方向に突出している円柱状の軸部材５４に対して滑り対偶をなして回動自在になっている。さらに、平面視において、第１の回動部材１５の長手方向の一端部は、第１の回動部材１５の回動中心よりも外側（トレイ６の端部側）に位置しており、第１の回動部材１５の長手方向の他端部は、第１の回動部材１５の回動中心よりも内側（トレイ６の中心側）に位置している。
【００６９】
第１の回動部材１５の長手方向の一端部側には、第１の円柱状の突起（当接部材）１５ａが一体的に設けられている。この当接部材１５ａの先端部側は、トレイ６に設けられた貫通孔６ｈ１を通過して載置される記録メディアＡ（Ｂ）のところまで達するように、第１の回動部材１５の上面から上方向に延びている。
【００７０】
第１の回動部材１５の長手方向の他端部側には、貫通孔１５ｂが設けられている。この貫通孔１５ｂは、当接部材１５ａの延伸方向と平行に（上下方向に）貫通して設けられている。また、貫通孔１５ｂは所定の幅で所定の長さの長円状の形状になっており、貫通孔１５ｂの長手方向と前記第１の回動部材１５の長手方向とは互いにほぼ一致している。
【００７１】
第２の回動部材１４は、記録メディアが載置される側とは反対側（トレイ６の下側）における第１の回動部材１５の近傍であって、第１の回動部材１５の回動中心軸の延伸方向において（上下方向において）トレイ６と第１の回動部材１５との間で、トレイ６から離れ、第１の回動部材１５の回動中心軸と平行に（上下方向に）延びた軸を中心にしトレイ６に対して回動自在に設けられていると共に、前記回動中心軸の延伸方向に（上下方向に）移動自在になっている。
【００７２】
なお、第２の回動部材１４は、第１の回動部材１５よりも内側（トレイ６の中心側）に設けられている。第２の回動部材１４は所定の厚さを備えた矩形状な板状に形成されており、厚さ方向が上下方向になるように設けられている。
【００７３】
第２の回動部材１４の一端部には、第１の回動部材１５の貫通孔１５ｂの幅よりも僅かに小さい外径を備えた円柱状の第２の突起１４ｂが一体的に設けられている。この第２の突起１４ｂは、第１の回動部材１５側に延出し（第２の回動部材１４の下面から下方向に延出し；図１０においては上方向に延出し）、第１の回動部材１５の貫通孔１５ｂに係合している。そして、第１の回動部材１５の回動により第１の回動部材１５の貫通孔１５ｂに対して滑り対偶をなし貫通孔１５ｂの長手方向に移動するようになっている。
【００７４】
したがって、各回動部材１４、１５は一種のリンク機構をなしているということができ、第１の回動部材１５の回動角度に応じた角度だけ第２の回動部材１４が回動するようになっている。
【００７５】
また、位置決め用部材位置決め機構には、第２の回動部材１４をこの回動中心軸の延伸方向で第１の回動部材１５側に（下方向に；図１０においては上方向に）付勢する軸方向付勢手段１８と、第２の回動部材１４の回動角度がデフォルトの角度になるように、第２の回動部材１４を付勢する回動方向付勢手段１７とが設けられている。
【００７６】
第２の回動部材１４の一端部（たとえば、平面視において第２の突起１４ｂと同じ位置）には、円柱状の位置決めピン（位置決め用部材）１４ａが一体的に設けられている。位置決め用部材１４ａの先端部側は、トレイ６に設けられた貫通孔６ｈ２を通過して載置される記録メディアＡ（Ｂ）のところまで達するように、第２の回動部材１４の上面から上方向に延びている。また、前記軸方向付勢手段１８により第２の回動部材１４が第１の回動部材１５側に（下側に；図１０の上側に）位置しているときにはトレイ６の載置部位よりも引っ込んでおり、前記トラバース機構により第２の回動部材１４が第１の回動部材１５から離れた側に（上側に；図１０の下側）位置するときには、トレイ６に載置される記録メディアＡ（Ｂ）の位置決め孔１２ａ（１３ａ）に挿入されるべく、記載置部位から突出するようになっている。
【００７７】
さらに詳しく説明すると、第２の突起１４ｂや位置決めピン１４ａは、矩形状の第２の回動部材１４の１つの角部の近傍に設けられている。また、第２の回動部材１４の回動中心は、位置決めピン１４ａが設けられている角部の隣の他の１つの角部の近傍に設けられている。
【００７８】
前記回動方向付勢手段１７は、たとえば、引っ張りコイルバネ１７で構成されており、この引っ張りコイルバネ１７の一端部が、前記回動中心軸が位置している角部に対向した角部（第２の回動部材１４の角部）の近傍に係合し、引っ張りバネ１７の他端部が、トレイ６に一体的に設けられたバネ支持部材５７に係合している。そして、引っ張りコイルバネ１７で第２の回動部材１４を水平な方向に引っ張ることにより、回動方向の付勢がなされている。
【００７９】
なお、バネ支持部材５７と第２の回動部材１４の回動中心とを互いに結ぶ方向と、引っ張りコイルバネ１７の長手方向とが互いに一致しているときに、引っ張りコイルバネ１７の伸び量が最小になり、第２の回動部材１４の回動角度がデフォルトの角度になる。
【００８０】
また、第２の回動部材１４の回動中心が位置している箇所には、円柱状の孔１４ｈが形成されており、この孔１４ｈに円柱状の回動軸部材５９が挿入されている。回動軸部材５９は、トレイ６と第２の回動部材１４との間でトレイ６に一体的に設けられている。孔１４ｈの内径は、回動軸部材５９の外径よりもごく僅かに大きくなっている。
【００８１】
そして、回動軸部材５９と第２の回動部材１４とが滑り対偶をなすことによって、第２の回動部材１４は、回動軸部材５９に対して回動可能であると共に、上下方向に移動自在になっている。また、回動軸部材５９の外周であってトレイ６と第２の回動部材１４との間には、軸方向付勢手段の例である圧縮コイルバネ１８が設けられており、この圧縮コイルバネ１８により、第２の回動部材１４が下方向（第１の回動部材１５側の方向）に付勢される。圧縮コイルバネ１８により付勢されていても、第２の回動部材１４の下面の一部（第２の突起１４ｂが設けられている部位の周辺部）が第１の回動部材１５に当接するので、第２の回動部材１４がトレイ６から抜け出てしまうことはない。
【００８２】
前記トラバース機構は、記録メディアＡ（Ｂ）を載置しているトレイ６がシャーシ２内に存在した位置にあるときに、前記軸方向付勢手段の付勢力に対抗し、トレイ６に設けられた貫通孔を通過させて、位置決め用ピン１４ａを上方に移動し、位置決めピン１５ａの先端部側を記録メディアＡ（Ｂ）の位置決め用孔１２ａ（１３ａ）に挿入すると共に、記録メディアＡ（Ｂ）のディスクをクランプするためにスピンドル５を移動するようになっている。なお、前記トラバース機構には、ディスクの情報を読み取る等のための光ピックアップ４も設けられている（図１参照）。
【００８３】
次に、記録メディアのドライブ装置１の動作を説明する。
【００８４】
初期状態では、トレイ６に記録メディアは載置されておらず、トレイ６はシャーシ２から突き出ており、位置決め用ピン１４ａも下方に位置しているものとする。この初期状態において、図１４（ａ）に示すように、記録メディアＡをトレイ６に載置しようとすると、記録メディアの凹部５１の稜線５１ａが、当接部材１５ａの斜面５３に当接し引っ張りコイルバネ１７が延びて、第１の回動部材１５がデフォルト角度から回動し始める。
【００８５】
図１４（ｂ）に示すように、記録メディアＡをトレイ６に載置し終えると、当接部材１５ａの位置が決まる（第１の回動部材１５の回動角度が決まる）。この状態では、当接部材１５ａは、距離ＸＡだけ、デフォルト位置から移動している。なお、トレイ６に記録メディアＢを載置した場合には、当接部材１５ａは、距離ＸＢだけ、デフォルト位置から移動する。
【００８６】
トレイ６に記録メディアＡ（Ｂ）を載置した状態で、シャーシ２内にトレイ６を引っ込めると、位置決めされた位置決め用ピン１４ａが上方に移動し、記録メディアの位置決め用孔１２ａ（１３ａ）に挿入され、記録メディアのシャッターが開かれ、記録メディアＡ（Ｂ）のカートリッジの側部が基準部位６ｄ（６ｅ）に当接し、記録メディアＡ（Ｂ）の位置決めがなされる。続いて、スピンドル５でディスクのクランプがされ、情報の再生や記録が行われる。
【００８７】
なお、記録メディアを取り出すときは、逆の動作が実行される。
【００８８】
記録メディアのドライブ装置１によれば、当接部材１５ａが記録メディアＡ（Ｂ）のカートリッジの所定の部位に当接したときの当接部材１５ａの位置に応じ、位置決め用部材１４ａの位置決めを行うように構成されているので、従来のものとは異なり、簡素な構成で、複数種類のカートリッジ付き記録メディアを、正確に位置決めすることができる。
【００８９】
また、記録メディアのドライブ装置１によれば、トレイ６に載置されている記録メディアＡ（Ｂ）のカートリッジを、押し付け機構により基準部位６ｄ（６ｅ）に押し付けて位置決めするように構成されているので、簡素な構成で、複数種類のカートリッジ付き記録メディアを、正確に位置決めすることができる。
【００９０】
また、記録メディアのドライブ装置１によれば、押し付け機構として、記録メディアＡ（Ｂ）のシャッターの開閉機構１０（１６）を用いているので、押し付け機構を別途設ける必要がなく、構成の簡素化がなされている。
【００９１】
さらに、記録メディアのドライブ装置１によれば、前記位置決め用部材位置決め機構が、各回動部材１４、１５を互いに係合させることにより構成されているので、単純な機構で機構を構成することができ、構成の簡素化がなされている。
【００９２】
また、記録メディアのドライブ装置１によれば、トレイ６がシャーシ２から突き出た位置にあるときに位置決め用部材１４ａが載置部位よりも引っ込んでいるので、トレイ６に記録メディアを載置する際、位置決め用部材１４ａが邪魔にならず、記録メディアを載置しやすくなっている。また、トラバース機構によって位置決め用部材１４ａを突出させる構成であるので、位置決め用部材１４ａを突出させる機構を別途設ける必要がなく、装置の構成が簡素になっている。
【００９３】
すなわち、記録メディアのドライブ装置１によれば、２種類のカートリッジを判別、位置決めするために、検出スイッチ等、電機的な装置や新たな駆動源を用いることもなく、各回動部材等、簡単な機構の追加でカートリッジの判別を行い、また、トラバースベース３を上下駆動のために使用する駆動源を用いて位置決め機構の駆動を行うことができる。
【００９４】
また、カートリッジの位置決めのために、カートリッジの左右の位置決め孔のうちのどちらか一方とトレイ６の側面を用いることにより、位置決め機構をより簡単な機構で成立させることができる。このため、大幅なコストアップになることもなく、外形と位置決め孔位置が異なる２種類のカートリッジを搬入完了状態で精度良く位置決めすることができる。
【図面の簡単な説明】
【００９５】
【図１】本発明の実施形態に係る記録メディアのドライブ装置の概略構成を示す斜視図である。
【図２】記録メディアのドライブ装置の概略構成を示す斜視図である。
【図３】記録メディアのドライブ装置の概略構成を示す斜視図であり、トレイをシャーシから搬出した状態を斜め下方から眺めた図である。
【図４】ローディング機構の要部を斜め上方から眺めた斜視図である。
【図５】トラバース機構の概略構成を示す図であり、トラバース機構を斜め上方から眺めた図である。
【図６】ＤＶＤ−ＲＡＭをトレイに載置した状態を示す平面図である。
【図７】ブルーレイディスクをトレイに載置した状態を示す平面図である。
【図８】記録メメディアのシャッターの開閉動作を示す図である。
【図９】記録メメディアのシャッターの開閉動作を示す図である。
【図１０】位置決め用部材位置決め機構の概略構成を示す斜視図であり、下斜め方向から位置決め用部材位置決め機構を眺めた図である。
【図１１】位置決め用部材位置決め機構の概略構成を示す平面図（上方から眺めた平面図）である。
【図１２】トラバース機構による位置決め用部材の突出動作を説明する図である。
【図１３】カートリッジを備えたＤＶＤ−ＲＡＭの概略構成とブルーレイディスクの概略構成を示す図である。
【図１４】記録メディアをトレイに載置するときの当接部材の挙動を示す図である。
【符号の説明】
【００９６】
１  記録メディアのドライブ装置
２  シャーシ
３  トラバースベース
６  トレイ
１０、１６  シャッター開閉機構
１１、１９  シャッター
１２ａ、１３ａ  位置決め用孔
１４  第２の回動部材
１４ａ  位置決め用部材
１４ｂ  第２の突起
１５  第１の回動部材
１５ａ  当接部材
１５ｂ  貫通孔
Ａ  記録メディア（ＤＶＤ−ＲＡＭ）
Ｂ  記録メディア（ブルーレイディスク）
【図１】
2007250042.tif 000003
【図２】
2007250042.tif 000004
【図３】
2007250042.tif 000005
【図４】
2007250042.tif 000006
【図５】
2007250042.tif 000007
【図６】
2007250042.tif 000008
【図７】
2007250042.tif 000009
【図８】
2007250042.tif 000010
【図９】
2007250042.tif 000011
【図１０】
2007250042.tif 000012
【図１１】
2007250042.tif 000013
【図１２】
2007250042.tif 000014
【図１３】
2007250042.tif 000015
【図１４】
2007250042.tif 000016